(57)【要約】【課題】物品を袋に収納する際における袋開口の手間を軽減し、以って、物品収納の労力を低減することが出来る物品収納用袋の提供。【解決手段】単一のシート状部材を折り返して前面側部分（１２）及び背面側部分（１４）が構成されており、融着された側縁部（２０、２０）を備え、前面側部分（１２）は背面側部分（１４）よりも（寸法δだけ）短く、前面側部分の端部（１６）は開口部（E）を構成しており、且つ、（当該開口部Ｅを構成している）前面側部分（１２）の端部には折り返し部分（１６）が形成されている。【選択図】  図１
2004196328.tif 000002
【特許請求の範囲】
【請求項１】
単一のシート状部材を折り返して前面側部分及び背面側部分が構成されており、融着された側縁部を備え、前面側部分は背面側部分よりも短く、前面側部分の端部は開口部を構成しており、且つ、前面側部分の端部には折り返し部分が形成されていることを特徴とする物品収納用袋。
【請求項２】
開口部の反対側端部にマチ部分が形成されている請求項１の物品収納用袋。
【請求項３】
請求項１の収納用袋を多数積み重ねた束を袋状部材内に収納し、該袋状部材には収納用袋を開放するのに必要なサイズの開口部が形成されており、且つ、該袋状部材は基台上に取り付けられていることを特徴とする物品収納用装置。
【請求項４】
長尺の袋状部材を加工して請求項１の物品収納用袋を製造するための製造装置において、前記物品収納用袋の前面側部分と背面側部分とを構成するため前記長尺の袋状部材の１側面に切れ目を形成する切削手段と、前面側部分の端部に相当する部分を折り曲げて前記物品収納用袋の折り返し部分を形成するガイド手段とを有していることを特徴とする物品収納用袋の製造装置。
【請求項５】
長尺の袋状部材を加工して請求項２の物品収納用袋を製造するための製造方法において、切削手段により前記物品収納用袋の前面側部分と背面側部分とを構成するため前記長尺の袋状部材の１側面に切れ目を形成する工程と、切れ目を形成した後に分離した一方の部分を展開する工程と、ガイド手段により前面側部分の端部に相当する部分を折り曲げて物品収納用袋の折り返し部分を形成する工程と、適当な間隔を隔てた２枚の板状部材及びその間に一部が挿入されている円盤状部材との間のマチ形成空間により長尺部材の前記折り返し部分と反対側の端部にマチ部分を形成する工程と、物品収納用袋の幅で前記長尺部材を溶断する工程、とを有していることを特徴とする物品収納用袋の製造方法。
【請求項６】
長尺の袋状部材を加工して請求項１の物品収納用袋であってマチ部分を有さない物品収納用袋を製造するための製造方法において、切削手段により前記物品収納用袋の前面側部分と背面側部分とを構成するため前記長尺の袋状部材の１側面に２本の切れ目を形成する工程と、２本の切れ目を形成することにより前記長尺の袋状部材から除去された部分をロールにより巻き取って除去する工程と、ガイド手段により前面側部分端部に相当する２箇所の部分を折り曲げて物品収納用袋の２箇所の折り返し部分を形成する工程と、第２の切削手段により背面側部分に相当する領域の中央部を切断する工程と、物品収納用袋の幅で前記長尺部材を溶断する工程、とを有していることを特徴とする物品収納用袋の製造方法。
【請求項７】
長尺の袋状部材を加工して請求項１の物品収納用袋であってマチ部分を有しない物品収納用袋を製造するための製造方法において、切削手段により前記物品収納用袋の前面側部分と背面側部分とを構成するため前記長尺の袋状部材の１側面に切れ目を形成する工程と、切れ目を形成した後に分離した一方の部分を展開する工程と、ガイド手段により前面側部分の端部に相当する部分を折り曲げて物品収納用袋の折り返し部分を形成する工程と、物品収納用袋の幅で前記長尺部材を溶断する工程、とを有していることを特徴とする物品収納用袋の製造方法。
【発明の詳細な説明】
【０００１】
【発明の属する技術分野】
本発明は、パンのような食品や、その他の各種物品を包装するのに適した物品収納用袋の改良に関する。
【０００２】
【従来の技術】
従来の物品の包装の代表例として、ビニール等の素材の袋に物品を収納するケースがある。
【０００３】
しかし、ビニール等の素材の袋は、袋を構成する素材同士が付着して、開口に非常に手間取ってしまうという問題を抱えている。
パンの大量販売店舗等の会計箇所（所謂「レジ」）で行われているように、会計の際に、客が選択した商品（パン）を袋に収納するという形態をとっている場合には、会計作業よりもパンを袋に収納する作業の方が時間を費やしてしまう。そして、パンを袋に収納するのに時間を費やしてしまう結果として、レジの順番待ちの客に対して不快感を与え、顧客離れ、売上高減少という事業継続上、非常に重大な問題を惹起してしまう可能性がある。
【０００４】
この様な問題に対処するべく、従来、パンなどの商品収納用の袋を予め開放した状態にして、レジ周りに配置することも行われている。
しかしながら、袋を予め開放した状態にしておく作業に多大な労力が必要となり、人件費の高騰等の問題を生じる。
また、袋を予め開放した状態でレジ周りに配置することは、客が購入したパンが接触した袋の内面側が外気に接触することとなり、パンが接触した面が汚れてしまい、或いは、異物が混入してしまう可能性が存在するという問題もある。
【０００５】
その他の従来技術として、例えば特許第２５６２８０６号公報では、傘を収納する袋を開口する技術が開示されている。この技術は非常に有効なものであるが、傘のような細長い商品の収納を対象としているため、パンのその他の一般的な商品全般の収納には適用できない。
また、機械的な機構が必要であり、当該機構設置のスペースが必要となるので、例えば大量販売を前提とするパン店舗のレジ周りなどに配置することが困難である。
【０００６】
【発明が解決しようとする課題】
本発明は、上述した従来技術の問題点に鑑みて提案されたものであり、物品を袋に収納する際における袋開口の手間を軽減し、以って、物品収納の労力を低減することが出来る物品収納用袋の提供を目的としている。
本発明のその他の目的は、係る物品収納用袋による収納をさらに効率的にすることが出来て、しかも、設置スペースが極めて小さい物品収納用装置の提供にある。
本発明のさらにその他の目的は、その様な物品収納用袋を好適に製造するための製造装置及び製造方法を提供することである。
【０００７】
【課題を解決するための手段】
本発明の物品収納用袋（１０）は、単一のシート状部材を折り返して前面側部分（１２）及び背面側部分（１４）が構成されており、融着された側縁部（２０、２０）を備え、前面側部分（１２）は背面側部分（１４）よりも（寸法δだけ）短く、前面側部分の端部（１６）は開口部（E）を構成しており、且つ、（当該開口部Ｅを構成している）前面側部分（１２）の端部には折り返し部分（１６）が形成されている（請求項１）。
【０００８】
係る構成を具備する本発明の物品収納用袋によれば、開口部（Ｅ）を構成する前面側部分（１２）の端部に形成された折り返し部分（１６）により、前面側部分（１２）と背面側部分（１４）とが付着することが防止される。
これに加えて、背面側部分（１４）が前面側部分（１２）よりも（寸法δだけ）長くなる様に構成されているので、背面側部分（１４）の長い部分を軽く抑えることにより、物品収納用袋（１０）の開口部（Ｅ）は、極めて容易に開口し、物品を袋（１０）内に収納する作業の労力が軽減する。
【０００９】
そして、本発明の物品収納用袋によれば、その場で容易に開口することが出来るので、例えば、パンの大量販売店舗の様に、会計（レジ）の際に客が選択した商品（パン）を袋に収納する場合でも、パンを袋に収納する作業が極めて短時間で行われるので、会計に費やされる時間が極めて短縮される。その結果、レジの順番待ちの客に対して不快感を与えることが無い。
また、従来行われていたように、袋を予め開放した状態にしておく作業が不必要となり、その様な作業の労力や人件費が不要である。
さらに、袋の内面側が外気に接触することが無く、パンが接触した面が汚れてしまうことや、異物の混入が防止出来る。
【００１０】
なお、本発明の物品収納用袋（１０）は、開口部（Ｅ）の反対側端部にマチ部分（１８）を形成することが可能である（請求項２）。
勿論、マチ部分（１８）を形成しないことも可能である。
【００１１】
また本発明の物品収納用装置（３０）は、上述した（請求項１の）収納用袋（１０）を多数積み重ねた束（Ｍ１）を袋状部材（外袋４０）内に収納し、該袋状部材（外袋４０）には収納用袋（１０）を開放するのに必要なサイズの開口部（４２）が形成されており、且つ、該袋状部材（外袋４０）は基台（４６）上に取り付けられている（請求項３）。
【００１２】
係る構成を有する本発明の物品収納用装置（３０）によれば、上述した（請求項１の）収納用袋（１０）を多数積み重ねてあり、収納用袋（１０）の折り返し部（１６）は折り返して２重になっている分だけ、その他の部分（例えば、図３、図４で符号「Ｈ」で示す部分）よりも厚さ寸法が大きい。そのため、折り返し部（１６）が上方に突出した状態（Ａ）となっている。
そして、折り返し部（１６）が上方に突出した結果、当該突出部分（Ａ）が摘み易くなり、収納用袋（１０）の開口部（Ｅ）が開放し易くなる。
【００１３】
これに加えて、収納用袋（１０）を包囲している袋状部材（外袋４０）が基台（４６）上に取り付けられているため、基台（４６）は基台の重量により基台を載置した場所からずれることも無く、また収納用袋（１０）は基台（４６）に移動しないように例えば基台に立設したピンなどにより止められているので、収納用袋（１０）の背面側部分（１４）の長い部分を抑えるのと同等の効果が得られる。換言すれば、収納用袋（１０）の背面側部分（１４）の長い部分を抑えなくても、収納用袋（１０）の開口部（Ｅ）が容易に開放される。
【００１４】
上述した物品収納用袋を製造するため、本発明の物品収納用袋（１０）の製造装置は、長尺の袋状部材（１００）を加工して上述した（請求項１の）物品収納用袋（１０）を製造するための製造装置において、前記物品収納用袋（１０）の前面側部分（１２）と背面側部分（１４）とを構成するため前記長尺の袋状部材の１側面に切れ目（６２）を形成する切削手段（カッタ６４：図１４、図２５参照）と、前面側部分（１２）の端部に相当する部分を折り曲げて物品収納用袋（１０）の折り返し部分（１６）を形成するガイド手段（折り曲げ用治具７４：図１８、図２７参照）とを有している（請求項４）。
【００１５】
上述した（請求項２の）物品収納用袋（マチ部分１８を有する物品収納用袋）を製造するため、本発明の物品収納用袋（１０）の製造方法は、長尺の袋状部材（１００）を加工して上述した（請求項２の）物品収納用袋（１０：マチ部分１８を有する物品収納用袋）を製造するための製造方法において、切削手段（カッタ６４）により前記物品収納用袋（１０）の前面側部分（１２）と背面側部分（１４）とを構成するため前記長尺の袋状部材の１側面に切れ目（６２）を形成する工程（図１３、図１４）と、切れ目を形成した後に分離した一方の部分（６６）を展開する工程（図１６、図１７）と、ガイド手段（折り曲げ用治具７４）により前面側部分（１２）の端部に相当する部分を折り曲げて物品収納用袋（１０）の折り返し部分（１６）を形成する工程（図１８、図１９）と、適当な間隔を隔てた２枚の板状部材（７８、７８）及びその間に一部が挿入されている円盤状部材（８０）との間のマチ形成空間により長尺部材（１００）の前記折り返し部分（１６）と反対側の端部にマチ部分（１８）を形成する工程（図２０、図２１）と、（請求項２の）物品収納用袋（マチ部分１８を有する物品収納用袋）の幅（Ｗ）で前記長尺部材（１００）を溶断する工程、とを有している（請求項５）。
【００１６】
また、（請求項１の）物品収納用袋であってマチ部分（１８）を有さない物品収納用袋（１０Ａ）を製造するため、本発明の物品収納用袋（１０Ａ）の製造方法は、長尺の袋状部材（１００）を加工して（請求項１の）物品収納用袋であってマチ部分（１８）を有さない物品収納用袋（１０Ａ）を製造するための製造方法において、切削手段（カッタ６４）により前記物品収納用袋（１０）の前面側部分（１２）と背面側部分（１４）とを構成するため前記長尺の袋状部材の１側面に２本の切れ目を形成する工程（図２６）と、２本の切れ目を形成することにより前記長尺の袋状部材（１００）から除去された部分（寸法ＳＷ）をロール（１２０：図２４）により巻き取って除去する工程（図２７）と、ガイド手段（折り曲げ用治具７４）により前面側部分（１２）端部に相当する２箇所の部分（１２Ｓ−Ｅ、１２Ｓ−Ｅ）を折り曲げて物品収納用袋（１０）の２箇所の折り返し部分（１６）を形成する工程（図２８）と、第２の切削手段（C）により背面側部分（１４）に相当する領域（１４Ｓ）の中央部を切断する工程と、（請求項１の）物品収納用袋（マチ部分１８を有する物品収納用袋）の幅（Ｗ）で前記長尺部材（１００）を溶断する工程（図２９）、とを有している（請求項６）。
【００１７】
さらに、（請求項１の）物品収納用袋であってマチ部分（１８）を有さない物品収納用袋（１０Ａ）を製造するため、本発明の物品収納用袋（１０Ａ）の製造方法は、上述した長尺の袋状部材（１００）を加工して上述した（請求項１の）物品収納用袋（１０Ａ：マチ部分１８を有しない物品収納用袋）を製造するための製造方法において、切削手段（カッタ６４）により前記物品収納用袋（１０）の前面側部分（１２）と背面側部分（１４）とを構成するため前記長尺の袋状部材の１側面に切れ目（６２）を形成する工程（図１３、図１４）と、切れ目（６２）を形成した後に分離した一方の部分（６６）を展開する工程（図１６、図１７）と、ガイド手段（折り曲げ用治具７４）により前面側部分（１２）の端部に相当する部分を折り曲げて物品収納用袋（１０）の折り返し部分（１６）を形成する工程（図１８、図１９）と、（請求項１の）物品収納用袋（マチ部分１８を有しない物品収納用袋）の幅（Ｗ）で前記長尺部材（１００）を溶断する工程、とを有している（請求項７）。
【００１８】
【発明の実施の形態】
以下、添付図面を参照して、本発明の実施形態について説明する。
【００１９】
図１〜図２１を参照して、マチが有る袋に係る第1実施形態について説明する。
【００２０】
図１及び図２は、本発明の第１実施形態に係る物品収納用袋の、図面番号順に夫々外観図と、断面図を示している。
図１及び図２において、全体を符号１０で示す物品収納用袋（以降、物品収納用袋を単に袋と略記する）は、その開口部が矢印Ｅで示されている。
【００２１】
袋１０はポリエチレン製である。ポリエチレンであれば材料そのものの匂いがしないので、特にパンその他の食品の収納用袋として好適である。但し、袋10の材料としては、ポリエチレンに限定されるものではない。例えば、機械部品のように、袋自体の臭いが問題にならない場合であれば、ビニール等で製造することも可能である。
【００２２】
袋１０は、単一のシート状材料（ポリエチレン）を２つ折り返した様な概略形状をしており、前面側部分１２と背面側部分１４とが「マチ」部１８により結合された構造を有している。
ここで、前面側部分１２の開口部Ｅ（前面側部分の端部）は、符号１６で示す様に折り返し部分を有している。
前面側部分１２は背面側部分１４に対して、寸法δだけ短くなっている。なお、符号２２で示す箇所に、前面側部分１２及び背面側部分１４を貫通する開口（孔）を形成することも可能である。
【００２３】
上述した様に、前面側部分１２の開口部Ｅ（前面側部分の端部）には折り返し部分１６が形成されており、該折り返し部分１６が存在するため、開口部Ｅにおいて、（前面側部分１２の）折り返し部分１６は背面側部分１４に付着しない。このことに加えて、背面側部分１４が前面側部分１２よりも寸法δだけ長い部分を軽く抑えることにより、物品収納用袋１０の開口部Ｅは、極めて容易に開口し、図示しない物品を袋１０内に収納する作業の労力が軽減する。
【００２４】
図１及び図２で示した物品収納用袋１０は、多数を重ねた場合に、さらに開口部Ｅを開口し易くなる。
【００２５】
図３及び図４は物品収納用袋１０を多数重ねた状態（符号「Ｍ１０」で示す）を側面から示したものである。図３及び図４から明らかな様に、袋１０を多数重ねた束Ｍ１０は、図３の符号Ａ、Ｄで示す部分が他の部分に比較して上方に盛り上がっている。
そして、図４と対比すれば明らかな様に、図３の符号Ａ部分は袋１０の開口部Ｅにおける折り返し部１６に対応しており、符号Ｄは袋１０底部の「マチ」部分１８に対応している。
【００２６】
折り返し部１６は、折り返して２重になっている分だけ、その他の部分（例えば、図３、図４で符号「Ｈ」で示す部分）よりも厚さ寸法が大きい。そのため、折り返し部１６が上方に突出した状態となっている。
折り返し部１６が上方に突出した結果、当該突出部分Ａが摘み易くなり、袋１０の開口部Ｅが開放し易くなる（図４では、開口部Ｅの開放が矢印Ｏで示されている）。
【００２７】
次に、上述した物品収納用袋を用いた物品収納用装置について説明する。
係る物品収納用装置については、図５〜図１０で示されている。
【００２８】
図５、図６で示す様に、全体を符号３０で示す物品収納用装置の一実施例は、図１〜図４で説明した物品収納用袋１０の束（例えば１００枚の束）Ｍ１が、外袋４０に収納された状態で、基台４６に載置された構成となっている。
外袋４０には、物品収納用袋１０を取り出すための開口４２が形成されており、（図示の例では２ヶ所に）開口５０が形成されている。そして、この開口５０には、基台４６に立設された２本のピン４８が貫通しており、以って、外袋４０が基台４６から外れない様になっている。
【００２９】
収納用袋１０を包囲している外袋４０が基台４６上に取り付けられているため、基台４６は基台の重量により基台を載置した場所からずれることも無く、また収納用袋１０は基台４６に移動しないように例えば基台に立設したピンなどにより止められているので、収納用袋１０の背面側部分１４の長い部分を抑えるのと同等の効果が得られる。
換言すれば、収納用袋１０の背面側部分１４の長い部分を抑えなくても、収納用袋１０の開口部Ｅが容易に開放される。
【００３０】
図７で示す物品収納用装置の他の実施例（装置全体を符号３５で表す）は、図5及び図6で示した実施例（符号３０）に対して、外袋および／又は物品収納用袋の束Ｍ１をずれないように基台に圧着させる保持部材Ｎを追加した実施例である。
【００３１】
その保持部材Ｎは図示において左右対称であり、軸部である両端部Ｎｃを支持金具Ｋによって基台４６に回動可能に取り付けられている。保持部材Ｎの軸部Ｎｃと支持金具Ｋの間には図示では明確に示していないが、保持部材Ｎの中央部Ｎａが基台４６側に付勢するように、例えばつるまきばねが介装されている。
なお、保持部材Ｎの中央部Ｎａと両端部Ｎｃの間の腕部Ｎｂは基台から離れるように浮き上がって構成されている。
図示の例では、指示金具Ｋの位置からピン４８が立設しているが、このピンは保持部材Ｎを設けたことにより廃止することも可能である。
【００３２】
次に、図８〜図１０を参照して、物品収納用装置３０による物品収納の態様について説明する。
【００３３】
図８において、外袋４０の開口４２で、折り返し部１６をつまみ、開口部Ｅを開放する。上述した通り、袋１０が束Ｍ１となった状態では、折り返し部１６は上方に突出Ａするので、非常に摘み易い。
【００３４】
図９では折り返し部１６をつまみ、開口部Ｅを大きく開口した状態で、収納したい対象物（例えばパン）Ｓを袋１０内に挿入（符号ＳＥ）する。
或いは、折り返し部１６をつまんだ状態で袋１０を外袋４０から引き出し、図１０で示す様に、パンＳを袋１０内に挿入する。
【００３５】
ここで、図示では、説明のために基台４６を水平に配置した状態となっているが、基台４６を垂直方向に配置すれば、設置スペースをさらに省略することが出来る。
【００３６】
次に、図１１〜図２０を参照して、上述した物品収納用袋１０を製造する態様について説明する。
【００３７】
物品収納用袋１０は、図１１の符号イ、図１２で示す様に、ロール状に巻き取られた長尺の袋状部材（図示の実施形態では、素材はポリエチレン）を加工することにより製造される。そして、係る「ロール状に巻き取られた長尺の袋状部材」は、原材料加工業者により販売されている市販品である。
【００３８】
図１１を参照して物品収納用袋製造装置の全体構成を説明する。
【００３９】
図１１の符号イの箇所には、リール２にロール状に巻き取られた長尺のポリエチレン製の袋状部材（図１２を参照）１００が配置してある。
係る長尺の袋状部材（以下、「長尺材料」と表記）１００が、引き出しローラ６０，６０により引き出される。
引き出された長尺材料１００は、図１１の符号ロ及び図１３で示す様に、１ヶ所がカッタ６４により切り裂かれ、切れ目６２が形成されて、その切れ目６２は、袋１０の開口部Ｅを形成する。
【００４０】
図１３で説明した工程をより詳細に説明したのが図１４である。
ここで、図１３、図１４において、カッタ６４で切り裂かれた切れ目６２の位置は、長尺部材１００の縁部Lから、δ／２の距離である。ここで、寸法「δ」は、図１及び図２で示されているように、出来上がった物品収納用袋の前面部１２が背面部１４よりも短い寸法である。なお、図１４において矢印Ｘは長尺部材１００が引っ張られて移動する方向を表している。
【００４１】
図１４のＹ矢視図である図１５において、長尺部材１００の上方のシート１００Ｕ（袋に製造された場合の前面側部分１２に相当）と、下方のシート１００Ｌ（袋に製造された場合の背面側部分１４に相当）の間にはカッタ受け部材Ｃが挿入されている。即ち、このカッタ受け部材Ｃは、カッタ６４が長尺部材１００を上下２枚とも切ってしまわない様に、２枚のポリエチレンシート間（１００Ｕと１００Ｌの間）に挿入されている。
【００４２】
一方、カッタ６４の切っ先６４ａは第１の支持部材Ｂ１および第２の支持部材Ｂ２を介して、間接的に前記カッタ受け部材Ｃに接続され、そのカッタ受け部材Ｃの特定の位置Ｐに接するように配置される。
【００４３】
カッタ６４には取付用孔６４ｂが設けられ、該取付用孔６４ｂと第１の支持部材側の長手方向に長径が配置された長孔Ｂ１ｂとを挿通するように図示しない１本のボルトでカッタ６４が第１の支持部材Ｂ１に取り付けられる。したがって、カッタ６４はＧ矢印方向に回転することで切っ先の角度が調節出来、またＦ（図示の左右）方向にスライドも出来るので、カッタ受け部材Ｃに傷等が出来た場合は前記特定の位置Ｐを移すことも出来る。
【００４４】
また、前記第１の支持部材Ｂ１の他端には取付孔Ｂ１ａが、第２の支持部材Ｂ２の一端には取付け孔Ｂ２ａが設けてあり、その２つの取付孔Ｂ１ａ、Ｂ２ａに１本のボルトを挿通するように連結しているので、第１の支持部材Ｂ１は取付け孔Ｂ２ａの周りにＪ矢印方向に回動可能となっている。そのため、前記カッタ６４の切っ先６４ａは上下方向にも調整が可能である。
【００４５】
また、例えば第１の指示部材Ｂ１と第２の支持部材Ｂ２の間に例えばアタッチメントを加えることにより、カッタ６４の幅方向の位置、すなわち袋の素材である長尺の袋状部材における幅方向の位置（δ／２）を変更することも可能である。
【００４６】
図１１の符号ハで示す箇所では、図１６で示す様に、切れ目６２で分離した部分６６を矢印Ｔ方向に開く工程が行われる。
換言すれば、図１６で示す工程では、部分６６を、長尺部材１００の、物品収納用袋１０の背面部１４側に相当する領域１４Ｓ側に展開する操作が行われる。なお、上述した通り、折曲がった片方の部分６６の長さはδ／２であるので、その部分６６を背面部１４相当領域１４Ｓ側へ展開することにより、背面部１４は前面部１２よりも寸法δだけ長くなるのである。
【００４７】
図１６で説明した工程をより詳細に説明したのが図１７（１７−ａ、１７−ｂ、１７−ｃ）である。
ここで、図１７の１７−ａにおいて、先端がＬ字状に曲げられた展開用治具７０を長尺部材１００の符号６６で示す部分へ押し当てる。
展開用治具７０は例えば図示の左方に移動する力を付勢されており、１７−ｂ、１７−ｃの順に当該部分６６を背面部１４に相当する領域１４Ｓ側へ展開していく。
【００４８】
図１１の符号ニで示す箇所では、図１８で示す様に、長尺部材１００の、物品収納用袋１０の前面部１２側に相当する領域１２Ｓにおいて、当該（前面部１２に相当する）領域１２Ｓの端部１２Ｓ−Ｅが折り曲げられて、折り返し部１６を形成する。
【００４９】
図１８で説明した工程をより詳細に説明したのが図１９である。
図１９において、長尺部材１００における前面部相当領域１２Ｓの端部１２Ｓ−Ｅが、折り曲げ用治具７４により折り曲げ或いは折り返されて、折り返し部１６を形成する。
【００５０】
図１１の符号ホで示す箇所では、袋１０の「マチ」部分１８を構成する。
図２０において、長尺部材１００の「マチ」部分１８に対応する領域S１８が、適当な間隔δ２を隔てた２枚の板状部材７８、７８と、円盤状部材８０との間のマチ形成空間に導入されて、マチ部分１８を構成する。詳細には、円盤状部材８０の動作は、図２１に示すように、Ｒ方向に回転しつつＶ方向に進み素材を袋の内部方向に押し込んで「マチ」部分１８を成形する。
図２０、図２１では明確に示されていないが、２枚の板状部材７８、７８と、円盤状部材８０との間のマチ形成空間に導入された領域S１８は、折り重ねられるので、円盤状部材８０が当該マチ形成空間を通過した後に、素材（ポリエチレン）自体の弾性により、元の形状に復元してしまうことはない。
【００５１】
図１１の符号ヘの箇所では、図１で述べた開口２２を穿孔する。図５〜図７で説明した物品収納用装置３０、３５では、外袋４０の開口５０に基台４６のピン４８を貫通させていたが、図１１の符号ヘの箇所で開口２２（図１）を穿孔し、ピン４８を開口２２に貫通させることも出来る。
【００５２】
図１１の符号ヘの箇所を通過した段階で、長尺部材１００は、図１の物品収納用袋１０が側縁部２０で区切られておらず、そのまま連続した状態で、図１の左右方向に連続した状態に加工されている。
そして、図１１中、符号８２で示す領域で、図１で示すような１枚ずつの物品収納袋１０に分離される。
【００５３】
図１１の符号８２で示す領域は、送りローラ８４、８４と、溶断用カッタ８８及びその受け部材９０と、送り用の上下のコンベア機構９２，９４で構成されている。
【００５４】
送り用ローラ８４、８４は、連続した状態の長尺部材１００を、物品収納用袋１０の幅W（図１参照）だけ、正確に送る。この送り用ロール８４、８４で寸法W分だけ正確に長尺部材１００を送ることにより、次の溶断用カッタ８８及びその受け部材９０は、物品収納用袋１０を、正確に幅Wずつ切断することが出来る。
【００５５】
溶断用カッタ８８及びその受け部材９０において、溶断用カッタ８８は、その表面がポリエチレンが溶融する温度以上となる様に加熱されている。加熱の手法は、公知の一般的な手法（例えば、電気的な加熱）でよい。
カッタ８８は、その受け部材９０と協働する事により、比較的薄い長尺部材１００が、確実に切断されるように構成されている。そして、長尺部材１００が袋１０の幅W（図１参照）だけ切断された際に、カッタ８８の高温により、ポリエチレン製の長尺部材１００が溶融して、物品収納用袋１０の側縁部２０が確実に接着する。
【００５６】
溶断用カッタ８８及びその受け部材９０により長尺部材１００を切断した段階で、図１で示すような物品収納用袋１０が完成する。そこで、送り用のコンベア機構９２，９４により、完成した物品収容用袋１０を１枚ずつ、図１１において左方に存在する集荷のための設備（図示は省略）へ送り出す。
【００５７】
ここで、図示しない集荷のための設備とは、例えば袋１０を集積し、所定枚数（例えば１００枚）ずつ積み重ねた（束ねた）後、外袋４０に収納する等の作業が行われる。
【００５８】
図１〜図２１まではマチ部分１８が有る袋について説明したが、係るマチ部分１８は省略することが可能である。図２２〜図３０の第２実施形態は、マチ部分１８を有さない物品収納用袋に関する。
【００５９】
図２２は、第２実施形態に係る物品収納用袋１０Ａを正面から示したもので、図１の袋１０と概略同一であるが、上述した通り、マチ部分１８は存在しない。
【００６０】
図２３は、第２実施形態に係る物品収納用袋を側断面で示したものである。図２と概略同一であるが、マチ部分１８は存在しない。
なお、図２２及び図２３において符号１２は前面側部分を、１４は背面側部分を示す。
なお、図２２及び図２３で示す第２の実施形態に係る物品収納用袋１０Ａは、第１実施形態に係る袋１０に対して「マチ」及び開口（孔）を省略した点が異なるのみで、他の部位に関しては同様の構成を具備している。従って、第１実施形態と同じ符号を付している。
【００６１】
図２４は、第２実施形態に係る物品収納用袋の製造ラインの概要を示す。
【００６２】
図２４の製造ラインでは、リール２にロール状に巻き取られている長尺部材１００を「マチ」の無い袋１０Ａに加工している。係る製造ラインで用いられる素材、すなわち長尺部材１００を図２５で示す。
ここで、図２５で示す長尺部材１００は、第１実施形態（例えば図１１で示す）で使用されたものと同一である。
【００６３】
図２４の符号トで示す箇所は、図２６で示す様に、長尺部材１００における袋１０Ａ（図２２及び図２３）の前面側部分１２に相当する領域１２Sの中央部近傍を、寸法SW（詳細は後述）だけ隔てて、カッタ６４により２箇所を切り裂く。カッタ６４で２ヶ所を切り裂いて、２本の切れ目を形成した結果、図２７で示す様に、長さ（幅方向長さ）ＳＷの長尺部材１１２が除去される。
係る幅方向ＳＷの除去された部材１１２は、図２４の符号１２０で示すリールにより巻き取られて除去される。
なお、図２６のカッタ６４については、第１実施形態における図１４と同様のものが使用できる。
なお、カッタ６４が長尺部材１００を２枚とも切ってしまわない様に、第１実施形態における図１４と同様に、２枚のポリエチレンシート間にカッタ受け部材Ｃを介装している。
【００６４】
図２４の符号チで示す箇所は、図２８で示す様に、前面側部分１２に相当する領域１２Sの端部１２Ｓ−Ｅを折り返して、折り返し部１６を形成する。
ここの折り返し部形成の態様については、第１実施形態の、図１８、図１９で示すのと同様である。すなわち、長尺部材１００における前面部相当領域１２Ｓの端部１２Ｓ−Ｅが、折り曲げ用治具７４により折り曲げ或いは折り返されて、折り返し部１６を形成する。
【００６５】
図２４の符号リで示す箇所では、図２９において、物品収納用袋１０Aの背面部１４に相当する領域１４Ｓの中央部をカッタ６５により切断している。その結果、図３０で示す様に、２枚のマチ部分がない物品収納用袋１０Aが製造される。
【００６６】
なお、袋１０Aの折り返し部１６におけるオーバーラップした長さを符号ＯＬで表現すれば、図２６及び図２７で除去される部材の長さＳＷは、
ＳＷ＝２δ−２ＯＬ
となる。
【００６７】
図示の実施形態はあくまでも例示であり、本発明の技術範囲を限定する趣旨の記述ではないことを付言する。
例えば、マチ部分がない袋を形成するに際して、図２４〜図３０で説明した製造方法に代えて、図１１の製造ラインから、符号ハで示す展開する操作及び符号ホで示すマチ製造操作を省略して、製造することも可能である。
【００６８】
【発明の効果】
本発明の作用効果を以下に列挙する。
（１）  開口部を構成する前面側部分の端部に形成された折り返し部分により、前面側部分と背面側部分とが付着することが防止される。
（２）  背面側部分が前面側部分よりも長くなる様に構成されているので、背面側部分の長い部分を軽く抑えることにより、物品収納用袋の開口部は、極めて容易に開口し、物品を袋内に収納する作業の労力が軽減する。
（３）  その場で容易に開口することが出来るので、大量販売店舗の様に、会計の際に客が選択した商品を袋に収納する場合でも、商品を袋に収納する作業が極めて短時間で行われ、会計に費やされる時間が極めて短縮される。その結果、レジの順番待ちの客に対して不快感を与えることが無い。
（４）  従来行われていたように、袋を予め開放した状態にしておく作業が不必要となり、その様な作業の労力や人件費が不要となる。
（５）  袋の内面側が外気に接触することが無く、商品が接触した面が汚れてしまうことや、異物が混入してしまう恐れが防止出来る。
（６）  収納用袋を多数積み重ねてあり、収納用袋の折り返し部は折り返して２重になっている分だけ、その他の部分よりも厚さ寸法が大きく、折り返し部が上方に突出した状態となっているため、当該突出部分が摘み易くなり、収納用袋の開口部が開放し易くなる。
（７）  収納用袋を包囲している袋状部材が基台上に取り付けられているため、基台は基台の重量により基台を載置した場所からずれることも無く、また収納用袋は基台に移動しないように例えば基台に立設したピンなどにより止められているので、収納用袋の背面側部分の長い部分を抑えるのと同等の効果が得られる。すなわち、収納用袋の背面側部分の長い部分を抑えなくても、収納用袋の開口部が容易に開放される。
【図面の簡単な説明】
【図１】本発明の第１実施形態で「マチ」を有する袋の外観図。
【図２】図１に対応する側断面図。
【図３】本発明の第１実施形態で「マチ」を有する袋を多数束に積み上げた側面図。
【図４】図３の状態において最上段の袋の開口部を開口させる状態を示した図。
【図５】基台上にセットした外袋内に図３及び図４の当該の物品収納用袋の束を載置した状態の図。
【図６】図５に対応する側断面図。
【図７】図５の基台にずれ防止の金具を追加した実施例の外観図。
【図８】図３の状態で、最上段の袋に商品を挿入する初期過程で開口部の折返し部を摘んで開口している様を示す図。
【図９】図３の状態で、最上段の袋の開口部から商品を挿入する様を示した図。
【図１０】図３の状態から当該の物品収納用袋に商品を完全に挿入し終わった様を示した図。
【図１１】第１実施形態に係る物品収納用袋の製造ラインの概要を示す図。
【図１２】袋を製造するためのロール上に巻き取られた素材を示した立体図。
【図１３】第１実施形態の「マチ」を有する袋の製造過程で、切れ目を入れる初期工程を示した図。
【図１４】図１３を更に詳しく説明するための図。
【図１５】図１４のＹ矢視図。
【図１６】切れ目で分離した部分を開いた状態を示した図。
【図１７】切れ目で分離した部分を開く過程を３駒の図によって詳細に示した図。
【図１８】第１実施形態の「マチ」を有する袋の製造過程で、折返し部を形成する工程を示した図。
【図１９】第１実施形態の「マチ」を有する袋の製造過程で、折返し部を形成する工程でガイドを使用している様を示した図。
【図２０】第１実施形態の「マチ」を有する袋の製造過程で、「マチ」を形成する工程を示した断面図。
【図２１】図２０に対応する平面図。
【図２２】本発明の第２実施形態に係る「マチ」無しの物品収納袋を示す正面図。
【図２３】図２２に対応する側断面図。
【図２４】第２実施形態に係る物品収納用袋の製造ラインの概要を示す図。
【図２５】当該物品収納用袋の材料である長尺の袋状部材の断面を示した図。
【図２６】第２実施形態において、第１工程である２箇所をカットする工程を表した図。
【図２７】第１工程においてカットされた部分を除去する工程を表した図。
【図２８】第２実施形態において、折返し部を作成する工程を表した図。
【図２９】第２実施形態において、素材を中央でカットして２個の袋に分断する工程を表した図。
【図３０】第２実施形態において、中央でカットされ２個の袋に分断された状態を表した図。
【符号の説明】
１・・・物品収納用袋
２・・・リール
１０・・・物品収納用袋
１２・・・前面側部分
１４・・・背面側部分
１６・・・折返し部分
１８・・・マチ部分
２０・・・側縁部
３０・・・物品収納用装置
４０・・・外袋
４２・・・開口部
４６・・・基台
６４・・・カッタ
７４・・・折り曲げ用治具
７８・・・板状部材
８０・・・円盤状部材
８４・・・送りローラ
８８・・・溶断用カッタ
１００・・・長尺部材
【図１】
2004196328.tif 000003
【図２】
2004196328.tif 000004
【図３】
2004196328.tif 000005
【図４】
2004196328.tif 000006
【図５】
2004196328.tif 000007
【図６】
2004196328.tif 000008
【図７】
2004196328.tif 000009
【図８】
2004196328.tif 000010
【図９】
2004196328.tif 000011
【図１０】
2004196328.tif 000012
【図１１】
2004196328.tif 000013
【図１２】
2004196328.tif 000014
【図１３】
2004196328.tif 000015
【図１４】
2004196328.tif 000016
【図１５】
2004196328.tif 000017
【図１６】
2004196328.tif 000018
【図１７】
2004196328.tif 000019
【図１８】
2004196328.tif 000020
【図１９】
2004196328.tif 000021
【図２０】
2004196328.tif 000022
【図２１】
2004196328.tif 000023
【図２２】
2004196328.tif 000024
【図２３】
2004196328.tif 000025
【図２４】
2004196328.tif 000026
【図２５】
2004196328.tif 000027
【図２６】
2004196328.tif 000028
【図２７】
2004196328.tif 000029
【図２８】
2004196328.tif 000030
【図２９】
2004196328.tif 000031
【図３０】
2004196328.tif 000032